【事件の表示】
　平成　９年特許願第３６８０３１号「有機ＥＬ素子」拒絶査定不服審判事件〔平成１１年　７月２１日出願公開、特開平１１−１９５４８７〕について、次のとおり審決する。
【結　論】
　本件審判の請求は、成り立たない。
【理　由】
１．手続の経緯
　本願は、平成９年１２月２７日の出願であって、平成１７年１月２６日付で拒絶査定がなされ、これに対し、平成１７年３月３日に拒絶査定に対する審判請求がなされるとともに、平成１７年４月４日付で手続補正がなされたものである。
　
２．平成１７年４月４日付の手続補正についての補正却下の決定
［補正却下の決定の結論］
　　平成１７年４月４日付の手続補正を却下する。
［理由］
（１）補正後の本願発明
　本件補正により、特許請求の範囲の請求項１は、
「基板と有機ＥＬ構造体とを有し、前記基板は、Ｎａおよび／またはＫをＮａ２Ｏ、Ｋ２Ｏに換算して１０〜３０ｗｔ％含有するアルカリガラスであり、前記基板と前記有機ＥＬ構造体との間に、ＳｉＯｘ（ｘ＝１．８〜２．２）で表される酸化ケイ素を含有し、前記Ｎａおよび／またはＫの前記有機ＥＬ構造体への拡散を防止するバリヤー層を有し、前記バリヤー層の波長６３２ｎｍにおける屈折率が１.４５〜１.５５である有機ＥＬ素子。」
と補正された。
　上記補正は、補正前の請求項１に係る発明の酸化ケイ素について「ＳｉＯｘ（ｘ＝１．８〜２．２）で表される」と限定し、また、バリア層について「Ｎａおよび／またはＫの前記有機ＥＬ構造体への拡散を防止する」と限定し、さらに「前記バリヤー層の波長６３２ｎｍにおける屈折率が１.４５〜１.５５である」との限定を付加したものであるから、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物
　原査定の拒絶の理由に引用された特開平９−１９９２７８号公報（以下、「刊行物１」という。）には、
ア．「【０００２】
　　【従来の技術】
　負極から注入された電子と正極から注入された正孔が両極に挟まれた有機蛍光体内で再結合する際に発光するという有機積層薄膜発光素子の研究が近年活発に行われるようになってきた。この素子は、薄型、低駆動電圧下での高輝度発光、蛍光材料を選ぶことによる多色発光が特徴であり注目を集めている。」（【０００２】）
イ．「また、ガラス基板はソーダライムガラス、無アルカリガラスなどが用いられ、また厚みも機械的強度を保つのに十分な厚みがあればよいので、０．７ｍｍ以上あれば十分である。ガラスの材質については、ガラスからの溶出イオンが少ない方がよいので無アルカリガラスの方が好ましいが、ＳｉＯ２などのバリアコートを施したソーダライムガラスも市販されているのでこれを使用できる。」（【０００９】）
との記載が認められ、これらの記載事項によれば、刊行物１には、
「ガラス基板と負極と正極と両極に挟まれた有機蛍光体とを有し、ガラス基板は、ガラスからの溶出イオンを少なくするため、ＳｉＯ２のバリアコートを施したソーダライムガラスである有機積層薄膜発光素子」
の発明（以下「刊行物１発明」という。）が開示されていると認めることができる。
　
（３）対比
　本願補正発明と刊行物１発明とを比較すると、刊行物１発明の「ガラス基板」、「負極と正極と両極に挟まれた有機蛍光体」、「ソーダライムガラス」、「バリア」、「有機積層薄膜発光素子」は、本願補正発明の「基板」、「有機ＥＬ構造体」、「アルカリガラス」、「バリヤー」、「有機ＥＬ素子」にそれぞれ相当する。
　また、刊行物１発明は、ガラスからの溶出イオンを少なくするため、ＳｉＯ２のバリアコートを施しているが、これは、刊行物１の「ガラスの材質については、ガラスからの溶出イオンが少ない方がよいので無アルカリガラスの方が好ましいが、ＳｉＯ２などのバリアコートを施したソーダライムガラスも市販されているのでこれを使用できる。」（上記２．（２）の記載事項イ．）との記載からみても、本願補正発明と同様「Ｎａおよび／またはＫの前記有機ＥＬ構造体への拡散を防止」していることは明らかである。
　したがって、両者は、
「基板と有機ＥＬ構造体とを有し、前記基板はアルカリガラスであり、前記基板と前記有機ＥＬ構造体との間に、前記Ｎａおよび／またはＫの前記有機ＥＬ構造体への拡散を防止するバリヤーを有する有機ＥＬ素子。」
である点で一致し、以下の点で相違している。
［相違点１］
　アルカリガラスについて、本願補正発明は、Ｎａおよび／またはＫをＮａ２Ｏ、Ｋ２Ｏに換算して１０〜３０ｗｔ％含有するようにしたのに対し、刊行物１発明では、Ｎａおよび／またはＫの含有量の限定がない点。
［相違点２］
　バリヤーを、本願補正発明は、ＳｉＯｘ（ｘ＝１．８〜２．２）で表される酸化ケイ素を含有し、波長６３２ｎｍにおける屈折率が１.４５〜１.５５である層としたのに対し、刊行物１発明では、ＳｉＯ２ のコートとし、屈折率については特に限定していない点。
　
（４）判断
［相違点１］について
　一般に、ソーダライムガラスは、その成分としてＮａ2Ｏを１０〜２０％含むことはこの出願の出願前周知の事項であり（必要であれば、「化学大辞典編集委員会編　化学大事典５　５２４頁　共立出版株式会社」参照）、また、本願補正発明が、安価なアルカリガラスを使用し、安価に製造できる有機ＥＬ素子を提供することを目的としていることも勘案すれば、「アルカリガラスに関し、Ｎａおよび／またはＫをＮａ２Ｏ、Ｋ２Ｏに換算して１０〜３０ｗｔ％含有するようにした」点に格別の技術的意義を見いだすことはできず、このような構成を採用することは何ら格別のこととはいえない。
　
［相違点２］について
　まず、バリヤーを、ＳｉＯｘ（ｘ＝１．８〜２．２）で表される酸化ケイ素を含有する層とした点について検討すると、ＳｉＯ２ はＳｉＯｘ（ｘ＝１．８〜２．２）に含まれるものであって、この点については、実質的な相違であるとは認められず、また、Ｎａおよび／またはＫの有機ＥＬ構造体への拡散を防止するために、バリヤーとして酸化ケイ素を用いるという点で、本願補正発明と刊行物１発明とは共通するものであるから、バリヤーを酸化ケイ素を含有する層とするか、ＳｉＯ２ のコートとするかは設計上の微差というべき事項であり、この点についても何ら格別のものではない。
　次に、バリヤーの波長６３２ｎｍにおける屈折率を１.４５〜１.５５とした点について検討すると、Ｉ．原査定の拒絶の理由に引用された特開昭５７−１００９４３号公報には、ＳｉＯ２ 被膜の屈折率が１．４４であることが開示されており、本願補正発明における屈折率の下限値１．４５との差は極めて小さい点、II．本願補正発明における屈折率の下限値、上限値に格別の臨界的意義を見いだすことができない点、の２点を勘案すれば、バリヤーの波長６３２ｎｍにおける屈折率を１.４５〜１.５５とすることについても何ら格別のこととはいえない。
　
　そして、本願補正発明の効果は、刊行物１に記載された発明から当業者が予測できる範囲内のものである。
　
　したがって、本願補正発明は、刊行物１に記載された発明に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項において準用する同法第１２６条第５項の規定に違反するものであり、特許法第１５９条第１項において読み替えて準用する特許法第５３条第１項の規定により却下されるべきものである。
　
３．本願発明について
　平成１７年４月４日付の手続補正は上記のとおり却下されたので、本願の請求項１に係る発明（以下、同項記載の発明を「本願発明」という。）は、平成１６年１０月４日付手続補正書の特許請求の範囲の請求項１に記載された事項により特定される、以下のとおりのものである。
「基板と有機ＥＬ構造体とを有し、前記基板は、Ｎａおよび／またはＫをＮａ２Ｏ、Ｋ２Ｏに換算して１０〜３０ｗｔ％含有するアルカリガラスであり、前記基板と前記有機ＥＬ構造体との間に、酸化ケイ素を含有するバリヤー層を有する有機ＥＬ素子。」
　
（１）刊行物
　原査定の拒絶の理由に引用された刊行物、および、その記載事項は、前記「２．（２）」に記載したとおりである。
　
（２）対比・判断
　本願発明は、前記「２．」で検討した本願補正発明から、酸化ケイ素について「ＳｉＯｘ（ｘ＝１．８〜２．２）で表される」との限定を、また、バリア層について「Ｎａおよび／またはＫの前記有機ＥＬ構造体への拡散を防止する」との限定を、さらに「前記バリヤー層の波長６３２ｎｍにおける屈折率が１.４５〜１.５５である」との限定を省いたものである。そうすると、本願発明に上記限定を付加したものに相当する本願補正発明が、前記「２．（４）」に記載したとおり、刊行物１に記載された発明に基づいて、当業者が容易に発明をすることができたものであるから、本願発明も、同様の理由により、刊行物１に記載された発明に基づいて、当業者が容易に発明をすることができたものである。
　
（３）むすび
　以上のとおり、本願発明は、刊行物１に記載された発明に基づいて、当業者が容易に発明をすることができたものであるから、特許法第２９条第２項の規定により特許を受けることができない。
　よって、結論のとおり審決する。